(57)【要約】【課題】撮像面で位相差方式の自動焦点調節を行う撮像装置において、画像を記録する場合に、適切な自動焦点調節を可能とする。【解決手段】各々が複数の光電変換素子を有する単位画素がマトリクス状に配置された画素部と、画素部の各列に対応して１本ずつ設けられた複数の列出力線とを備える撮像素子と、単位画素の一部の光電変換素子の信号を読み出す場合に、画素部の同じ列に配置された複数の単位画素の信号を画素部の各列に対応して１本ずつ設けられた各列出力線に同時に出力するように制御する制御部と、を備え、撮像装置が動画を記録するモードの場合に、制御部は、高解像度の画像を記録するか否かに基づいて複数の単位画素の信号を画素部の各列に対応して１本ずつ設けられた各列出力線に同時に出力するか否かを決定する。【選択図】  図６
2019062537.tif 000002
【特許請求の範囲】
【請求項１】
各々が複数の光電変換素子を有する単位画素がマトリクス状に配置された画素部と、該画素部の各列に対応して１本ずつ設けられた複数の列出力線とを備える撮像素子と、
前記単位画素の一部の光電変換素子の信号を読み出す場合に、前記画素部の同じ列に配置された複数の単位画素の信号を前記画素部の各列に対応して１本ずつ設けられた各列出力線に同時に出力するように制御する制御手段と、を備え、
前記撮像装置が動画を記録するモードの場合に、前記制御手段は、高解像度の画像を記録するか否かに基づいて前記複数の単位画素の信号を前記画素部の各列に対応して１本ずつ設けられた各列出力線に同時に出力するか否かを決定することを特徴とする撮像装置。
【請求項２】
複数の光電変換素子を有する単位画素がマトリクス状に配置された画素部と、該画素部の各列に対応して１本ずつ設けられた複数の列出力線とを備える撮像素子を有する撮像装置を制御する方法であって、
前記単位画素の一部の光電変換素子の信号を読み出す場合に、前記画素部の同じ列に配置された複数の単位画素の信号を前記画素部の各列に対応して１本ずつ設けられた各列出力線に同時に出力するように制御する制御工程と、を有し、
前記撮像装置が動画を記録するモードの場合に、前記制御工程では、高解像度の画像を記録するか否かに基づいて前記複数の単位画素の信号を前記画素部の各列に対応して１本ずつ設けられた各列出力線に同時に出力するか否かを決定することを特徴とする撮像装置の制御方法。
【請求項３】
請求項２に記載の制御方法の各工程をコンピュータに実行させるためのプログラムを記憶したことを特徴とするコンピュータが読み取り可能な記憶媒体。
【発明の詳細な説明】
【技術分野】
【０００１】
本発明は、撮像装置に関するものである。
【背景技術】
【０００２】
近年、デジタルカメラやデジタルビデオカメラには、瞳分割方式の焦点検出が可能な構造の撮像素子が採用されているものがある。たとえば特許文献１では、撮像素子の１つの画素に２つのフォトダイオードが設けられており、各フォトダイオードは１つのマイクロレンズによって撮像レンズの異なる瞳領域を通過した光を受光するように構成されている。したがって、２つのフォトダイオードからの出力信号を比較することで、位相差式の焦点検出が可能となる。また、２つのフォトダイオードからの出力信号を加算することで、撮影画像の信号を得ることができる。
【０００３】
特許文献２では、撮像面で位相差検出する場合にＧ画素の信号を水平加算して読み出し、Ｒ，Ｂ画素の信号は水平加算せずに読み出す技術が記載されている。
【先行技術文献】
【特許文献】
【０００４】
【特許文献１】特開２００１−１２４９８４ 号公報
【特許文献２】特開２０１３−１７８５６４ 号公報
【発明の概要】
【発明が解決しようとする課題】
【０００５】
上記のような２つのフォトダイオードからの出力信号を読み出す方式では、被写体が暗いとノイズ量が多く、焦点検出のための相関演算が正しくできない場合がある。
【０００６】
本発明は上述した課題に鑑みてなされたものであり、その目的は、撮像面で位相差方式の自動焦点調節を行う撮像装置において、画像を記録する場合に、適切な自動焦点調節を可能とすることである。
【課題を解決するための手段】
【０００７】
本発明に係わる撮像装置は、各々が複数の光電変換素子を有する単位画素がマトリクス状に配置された画素部と、該画素部の各列に対応して１本ずつ設けられた複数の列出力線とを備える撮像素子と、前記単位画素の一部の光電変換素子の信号を読み出す場合に、前記画素部の同じ列に配置された複数の単位画素の信号を前記画素部の各列に対応して１本ずつ設けられた各列出力線に同時に出力するように制御する制御手段と、を備え、前記撮像装置が動画を記録するモードの場合に、前記制御手段は、高解像度の画像を記録するか否かに基づいて前記複数の単位画素の信号を前記画素部の各列に対応して１本ずつ設けられた各列出力線に同時に出力するか否かを決定することを特徴とする。
【発明の効果】
【０００８】
本発明によれば、撮像面で位相差方式の自動焦点調節を行う撮像装置において、画像を記録する場合に、適切な自動焦点調節が可能となる。
【図面の簡単な説明】
【０００９】
【図１】本発明の第１の実施形態における撮像装置の構成を示すブロック図。
【図２】本発明の第１の実施形態における撮像素子の概略図。
【図３】本発明の第１の実施形態における撮像レンズの射出瞳から出た光束が単位画素に入射する概念図。
【図４】本発明の第１の実施形態における単位画素の等価回路図。
【図５】本発明の第１の実施形態における垂直画素混合の説明図。
【図６】本発明の第１の実施形態における焦点検出用出力と画像用出力両方の混合の説明図。
【図７】本発明の第１の実施形態における動作のタイミングチャート。
【図８】本発明の第２の実施形態における被写体の例を示す図。
【図９】本発明の第２の実施形態におけるフローチャート。
【図１０】本発明の第３の実施形態におけるフローチャート。
【図１１】本発明の第４の実施形態における焦点検出用出力の読み出し有無による読み出しレート説明図。
【図１２】本発明の第４の実施形態におけるフローチャート。
【発明を実施するための形態】
【００１０】
以下、本発明の実施形態について、添付図面を参照して詳細に説明する。
【００１１】
（第１の実施形態）
図１は、本発明の第１の実施形態に係わる撮像装置システムの構成を示すブロック図である。図１において、本実施形態の撮像装置システムは、撮像装置１００と、メモリーカードやハードディスク等の記録媒体２００と、レンズユニット３００とを備えて構成されている。
【００１２】
ここで、これらのブロックの詳細について説明する。まず撮像装置１００の内部について説明する。シャッター１２は撮像素子１４００に入る光量を制御し、撮像素子１４００は光学像を電気信号に変換する。レンズユニット３００から入射した光は、ミラー１３０，１３１により反射され、光学ファインダ１０４に導かれる。光学ファインダ１０４は、ミラー１３０が撮影レンズの光路上にある場合には、入射光を結像させて、ユーザーがそれを見ることによって撮影する静止画の構図を確認することが可能である。
【００１３】
アナログフロントエンド（以降ＡＦＥ）１７００は、撮像素子１４００から出力されるアナログ信号をデジタル信号に変換するＡ／Ｄ変換器を内蔵する。タイミングジェネレータ（以下ＴＧ）１８００は、撮像素子１４００やＡ／Ｄ変換器にクロック信号や制御信号を供給する。液晶モニター１２００は、ライブビュー（ＬＶ）画像の表示や、撮影した静止画像を表示することが可能である。システム制御回路（以下ＣＰＵ）５０は、画像処理を含む撮像装置１００全体の動作を制御する。
【００１４】
シャッタースイッチ６１は２段階になっており、ユーザーが１段目まで浅く押すことを半押しといい、２段目まで深く押すことを全押しという。シャッタースイッチ６１の半押しをＣＰＵ５０が検知して、自動焦点合わせや、撮影前の状態における自動露出機構によるシャッター速度と絞り数値の設定が行われる。全押しでは、シャッター１２が動作し撮影動作が実施される。
【００１５】
ライブビュー（ＬＶ）のスタート・ストップスイッチ６２は、ユーザーからスタート指示された場合に連続して動画記録動作を行う。ライブビュー表示中にシャッタースイッチ６１が半押しの状態になった場合は、後述する撮像素子１４００の焦点検出用出力信号を用いてオートフォーカス（ＡＦ）を行う。
【００１６】
ＩＳＯ感度設定スイッチ６３に対するユーザーの指示に従い、ＣＰＵ５０は撮像装置１００の光の量に対する感度を設定する。電源スイッチ６４に対するユーザーの指示に従い、ＣＰＵ５０は撮像装置１００の電源オン、電源オフの切り替えを行う。また、撮像装置１００に接続されたレンズユニット３００、外部ストロボ、記録媒体２００等の各種付属装置の電源オン、電源オフの設定も合わせて切り替え設定可能である。
【００１７】
揮発性メモリ（以下ＲＡＭ）７０は画像データを一時的に記録するとともに、ＣＰＵ５０のワークメモリとしても機能する。不揮発性メモリ（ＲＯＭ）７１は、ＣＰＵ５０が動作を行う際のプログラムを格納している。画像処理部７２は静止画の補正・圧縮等の処理を行う。オートフォーカス演算部７３はオートフォーカス用に、焦点検出用の信号から後述する撮影レンズ３１０の駆動量を計算する。被写体解析部７４は、被写体の空間周波数を調べる。
【００１８】
電源制御部８０は、電池検出回路、ＤＣ−ＤＣコンバータ、通電するブロックを切り替えるスイッチ回路等から構成されている。さらに電池の装着の有無、電池の種類、電池残量の検出を行い、その検出結果及びＣＰＵ５０の指示に基づいてＤＣ−ＤＣコンバータを制御し、必要な電圧を必要な期間、記録媒体を含む各部に供給する。コネクタ８２，８４は、電源部８６を撮像装置１００に接続する。電源部８６はアルカリ電池やリチウム電池等の一次電池、Ｌｉイオン電池などの二次電池、ＡＣアダプタ等から成る。
【００１９】
インターフェース９０は、メモリーカードードやハードディスク等の記録媒体とのインターフェースであり、コネクタ９２はメモリーカードやハードディスク等の記録媒体２００との接続を行う。記録媒体２００は、半導体メモリや磁気ディスク等から構成される記録部２０１、撮像装置１００とのインターフェース２０２を有している。
【００２０】
レンズユニット３００は、撮影レンズ３１０、絞り３１２、レンズマウント３１６を備える。レンズマウント３１６は、撮像装置１００側のレンズマウント１０６に接続される。レンズ制御部３２０は、レンズユニット３００全体を制御し、コネクタ３２２は、レンズユニット３００を撮像装置１００と電気的に接続する。レンズ制御部３２０は、コネクタ３２２，１２２を介して、撮像装置１００からの信号を受ける。この信号により撮影レンズ３１０の光軸上での位置を変更しフォーカスを制御する。同じようにレンズ制御部３２０は撮像装置１００からの信号を受け、絞り３１２の口径の大きさを制御する。なお、インターフェース１２０は、レンズユニット３００と電気信号で通信するためのインターフェースである。
【００２１】
図２は、撮像素子１４００の簡易構成図である。撮像素子１４００の撮像面には、複数の画素２０５が２次元のマトリクス状に配置されている。マトリクス状の画素配列の垂直方向の並びを「列」と呼び、水平方向の並びを「行」と呼ぶ。画素群（画素部）２０８は、列、行のすべての画素を集めたものである。垂直走査回路２０４は、選択行を読みだすための行選択信号と、電荷の読み出しに必要な信号を、各画素の回路に出力する。垂直出力線（列出力線）４１０に出力された信号は各垂直出力線に接続されている列ゲイン２０６、列回路２０７を介して水平走査回路２０３に出力される。水平走査回路２０３は、１行分の信号出力を水平方向に順次出力する。
【００２２】
図３は、撮影レンズの射出瞳から出射した光束が単位画素に入射する概念図である。単位画素２０５（単位画素内）には、第１のフォトダイオード（光電変換素子）３０６Ａおよび第２のフォトダイオード３０６Ｂが設けられている。単位画素２０５の前面には、カラーフィルタ３０５と、マイクロレンズ３０４が配置されている。撮影レンズ３１０は、射出瞳３３０を有する。
【００２３】
マイクロレンズ３０４を有する画素に対して、射出瞳３３０から出た光束の中心を光軸３０３とする。射出瞳を通過した光は、光軸３０３を中心として単位画素２０５に入射する。撮影レンズ３１０の射出瞳３３０は、射出瞳の一部の瞳領域３０１，３０２を含む。図３に示すように、瞳領域３０１を通過する光束はマイクロレンズ３０４を通して、フォトダイオード３０６Ａで受光され、瞳領域３０２を通過する光束はマイクロレンズ３０４を通して、フォトダイオード３０６Ｂで受光される。したがって、フォトダイオード３０６Ａと３０６Ｂは、それぞれ撮影レンズの射出瞳の別々の領域の光を受光している。したがって、フォトダイオード３０６Ａと３０６Ｂの信号を比較することで、位相差の検知が可能となる。
【００２４】
ここで、フォトダイオード３０６Ａから得られる信号をＡ像信号、フォトダイオード３０６Ｂから得られる信号をＢ像信号と定義する。Ａ像信号とＢ像信号を足し合わせた信号はＡ＋Ｂ像信号とし、このＡ＋Ｂ像信号は撮影画像に用いることができる。
【００２５】
図４に単位画素２０５の等価回路図を示す。転送スイッチ４０５Ａを転送制御信号４０１で制御し、転送スイッチ４０５Ｂを転送制御信号４０２で制御することにより、フォトダイオード３０６Ａ，３０６Ｂで発生および蓄積された電荷をフローティングディフュージョン部（以後ＦＤ）４０７に転送する。ソースフォロアアンプ４０８は、ＦＤ４０７に蓄積された電荷に基づく電圧信号を増幅して、画素信号として出力する。行選択制御信号４０４で行選択スイッチ４０９を制御することにより、ソースフォロアアンプ４０８の出力を垂直出力線４１０へ接続する。
【００２６】
ＦＤ４０７に蓄積されている不要電荷をリセットする場合には、リセット制御信号４０３によりリセットスイッチ４０６を制御する。さらに、フォトダイオード３０６Ａ，３０６Ｂをリセットする場合には、リセットスイッチ４０６と共に、転送スイッチ４０５Ａを転送制御信号４０１で制御し、転送スイッチ４０５Ｂを転送制御信号４０２で制御して、リセットを実行する。転送制御信号４０１，４０２、リセット制御信号４０３、行選択制御信号４０４の各々は、ＣＰＵ５０がＴＧ１８００を介して垂直走査回路２０４を制御することにより、画素群２０８の各行に供給される。
【００２７】
焦点検出用の相関演算にはＡ像信号とＢ像信号がそれぞれ必要であるが、Ａ像信号、Ｂ像信号を別々に読み出してもよい。ただし、本実施形態においてはＡ像信号とＡ＋Ｂ像信号を読み出し、後段のＣＰＵ５０とオートフォーカス演算部７３における演算でＢ像信号を作成する例について説明する。なお、この演算結果を基にレンズ制御部３２０を制御してフォーカスを行う。
【００２８】
図５は、垂直走査回路２０４が垂直の所定画素の出力信号を混合するときの動作を示している。図５（ａ）は混合なしの場合の動作を示す。ＣＰＵ５０がＴＧ１８００および垂直走査回路２０４を介して行選択制御信号４０４を制御して選択スイッチ４０９＿１がオンされ、単位画素２０５＿１を含む行の信号が垂直出力線４１０を通して列回路に送られる。図５（ｂ），図５（ｃ）は３画素混合の様子を示している。ベイヤー配列での混合の場合は、１行ごとにカラーフィルタの色が変わるので、１行ずつ開けて混合する画素が選択される。
【００２９】
たとえば図５（ｂ）では、画素２０５＿１、２０５＿３、２０５＿５はＲ（赤色）の画素であり、Ｒの信号が混合される。ＣＰＵ５０がＴＧ１８００および垂直走査回路２０４を介して行選択制御信号４０４を制御し、画素２０５＿１、２０５＿３、２０５＿５のそれぞれにつながる選択スイッチ４０９＿１、４０９＿３、４０９＿５を同時にオンして垂直出力線４１０に接続する。この動作により、Ｒの３画素の出力が混合された信号が列回路４１０に転送される。
【００３０】
同じように図５（ｃ）では、画素２０５＿４、２０５＿６、２０５＿８はＧ（緑色）の画素であり、ＣＰＵ５０が垂直走査回路２０４を介して行選択制御信号４０４を制御し、それぞれにつながる選択スイッチ４０９＿４、４０９＿６、４０９＿８を同時にオンして垂直出力線４１０に接続する。この動作により、Ｇの３画素の出力が混合された信号が列回路４１０に転送される。
【００３１】
上記の例のように、混合行の重心が最初のＲが３行目、次のＧが６行目、次のＲが９行目、次のＧが１２行目というように、重心が３行おきになるように混合する画素を選択する。図５の例では、垂直出力線４１０からデータを転送する際に混合しているが、各行のＦＤ４０７を接続する混合スイッチがあり、それを必要な部分で接続することで垂直画素混合を実現してもよい。
【００３２】
図６は、Ａ像信号とＡ＋Ｂ像信号がそれぞれ垂直方向（列方向）において混合される例を示している。図４も参照すると、図６（ａ）では、ＣＰＵ５０がＴＧ１８００および垂直走査回路２０４を介して転送制御信号４０１を制御して各画素の転送スイッチ４０５Ａをオンし、フォトダイオード３０６Ａの蓄積電荷をＦＤ４０７に転送する。それぞれＦＤ４０７にＡ像の電荷が転送された状態で、ＣＰＵ５０がＴＧ１８００および垂直走査回路２０４を介して行選択制御信号４０４を制御し、Ｒ行の３行の選択スイッチ４０９＿１，４０９＿３，４０９＿５を同時にオンし、３画素の出力が混合された信号が列回路４１０に転送される。同じように、選択スイッチ４０９＿４，４０９＿６，４０９＿８を同時にオンして、Ｇの３画素の出力が混合された信号が列回路４１０に転送される。
【００３３】
図６（ｂ）では、ＣＰＵ５０がＴＧ１８００および垂直走査回路２０４を介して転送制御信号４０１を制御して各画素の転送スイッチ４０５Ｂをオンし、フォトダイオード３０６Ｂの蓄積電荷を、もともとＡ像の電荷が入っているＦＤ４０７に加えてＡ＋Ｂ像の電荷を取得する。それぞれＦＤ４０７にＡ＋Ｂ像の電荷が転送された状態で、ＣＰＵ５０がＴＧ１８００および垂直走査回路２０４を介して行選択制御信号４０４を制御し、Ｒ行の３行の選択スイッチ４０９＿１，４０９＿３，４０９＿５を同時にオンし、Ｒの３画素の出力が混合された信号が列回路４１０に転送される。同じように、Ｇ行の３行の選択スイッチ４０９＿４，４０９＿６，４０９＿８を同時にオンして、Ｇの３画素の出力が混合された信号が列回路４１０に転送される。上記のようにＡ像出力とＡ＋Ｂ像出力の垂直混合信号を順次読み出すように、行選択を行っていく。
【００３４】
図７は、第１の実施形態における動作のタイミングチャートである。図７では、ＣＰＵ５０がＴＧ１８００および垂直走査回路２０４を介して撮像素子１４００の各行の単位画素２０５のリセットスイッチ４０６、転送スイッチ４０５Ａ，４０５Ｂ、行選択スイッチ４０９のそれぞれに各制御信号を供給するタイミングを示している。
【００３５】
まず、タイミングＴ７００では、リセットスイッチ４０６＿１，４０６＿３，４０６＿５をオンして各行のＦＤ４０７をリセットする。なお、ここではリセット信号がＬＯＷでスイッチがオンするタイプを記載しているが、ＨＩＧＨでオンするタイプでもかまわない。
【００３６】
タイミングＴ７０１では、行選択スイッチ４０９＿１，４０９＿３，４０９＿５を同時にオンしてＦＤ４０７のリセット後のリセット信号を読み出す。タイミングＴ７０２では、転送スイッチ４０５Ａ＿１，４０５Ａ＿３，４０５Ａ＿５を同時にオンしてＡ像の電荷をＦＤ４０７にそれぞれ転送する。行選択スイッチ４０９＿１，４０９＿３，４０９＿５はオンされたままなので、３画素のＡ像出力の混合された信号が列回路に読み出される。そして、読み出されたＡ像の信号からリセット信号を減算することにより相関２重サンプリング（以下ＣＤＳ）を行い、撮像素子１４００から出力される。
【００３７】
タイミングＴ７０３では、転送スイッチ４０５Ａ＿１，４０５Ａ＿３，４０５Ａ＿５と４０５Ｂ＿１，４０５Ｂ＿３，４０５Ｂ＿５を同時にオンしてＢ像の電荷を１，３，５行目のＦＤ４０７にそれぞれ転送することで、Ａ＋Ｂ像の電荷を取得する。行選択スイッチ４０９＿１，４０９＿３，４０９＿５はオンされたままなので、３画素のＡ＋Ｂ像出力の混合された信号が列回路に読み出される。そして、読み出されたＡ＋Ｂ像の信号からリセット信号を減算することによりＣＤＳを行い、撮像素子１４００から出力される。出力後、行選択スイッチ４０９＿１，４０９＿３，４０９＿５をオフする。
【００３８】
タイミングＴ７０４では、リセットスイッチ４０６＿４，４０６＿６，４０６＿８をオンして各行のＦＤ４０７をリセットする。タイミングＴ７０５では、行選択スイッチ４０９＿４，４０９＿６，４０９＿８を同時にオンしてＦＤ４０７のリセット後のリセット信号を読み出す。
【００３９】
タイミングＴ７０６では、転送スイッチ４０５Ａ＿４，４０５Ａ＿６，４０５Ａ＿８を同時にオンしてＡ像の電荷をＦＤ４０７にそれぞれ転送する。行選択スイッチ４０９＿４，４０９＿６，４０９＿８はオンされたままなので、３画素のＡ像出力の混合された信号が列回路に読み出される。そして、読み出されたＡ像の信号からリセット信号を減算することによりＣＤＳを行い、撮像素子１４００から出力される。
【００４０】
タイミングＴ７０７では、転送スイッチ４０５Ａ＿４，４０５Ａ＿６，４０５Ａ＿８と４０５Ｂ＿４，４０５Ｂ＿６，４０５Ｂ＿８を同時にオンしてＢ像の電荷を４，６，８行目のＦＤ４０７にそれぞれ転送することで、Ａ＋Ｂ像の電荷を取得する。行選択スイッチ４０９＿４，４０９＿６，４０９＿８はオンされたままなので、３画素のＡ＋Ｂ像出力の混合された信号が列回路に読み出される。そして、読み出されたＡ＋Ｂ像の信号からリセット信号を減算することによりＣＤＳを行い、撮像素子１４００から出力される。出力後、行選択スイッチ４０９＿４，４０９＿６，４０９＿８をオフする。
【００４１】
タイミングＴ７０８では、一部図示が省略されているが、リセットスイッチ４０６＿７，４０６＿９，４０６＿１１をオンして各行のＦＤ４０７をリセットする。タイミングＴ７０９では、行選択スイッチ４０９＿７，４０９＿９，４０９＿１１を同時にオンしてＦＤ４０７のリセット後のリセット信号を読み出す。
【００４２】
タイミングＴ７１０では，一部図示が省略されているが、転送スイッチ４０５Ａ＿７，４０５Ａ＿９，４０５Ａ＿１１を同時にオンしてＡ像の電荷をＦＤ４０７にそれぞれ転送する。行選択スイッチ４０９＿７，４０９＿９，４０９＿１１はオンされたままなので、３画素のＡ像出力の混合された信号が列回路に読み出される。そして、読み出されたＡ像の信号からリセット信号を減算することによりＣＤＳを行い、撮像素子１４００から出力される。
【００４３】
タイミングＴ７１１では、転送スイッチ４０５Ａ＿７，４０５Ａ＿９，４０５Ａ＿１１と４０５Ｂ＿７，４０５Ｂ＿９，４０５Ｂ＿１１を同時にオンしてＢ像の電荷を７，９，１１行目のＦＤ４０７にそれぞれ転送することで、Ａ＋Ｂ像の電荷を取得する。行選択スイッチ４０９＿７，４０９＿９，４０９＿１１はオンされたままなので、３画素のＡ＋Ｂ像出力の混合された信号が列回路に読み出される。そして、読み出されたＡ＋Ｂ像の信号からリセット信号を減算することによりＣＤＳを行い、撮像素子１４００から出力される。
【００４４】
これをＡ像信号用に行数の１／３回分繰り返し、Ａ＋Ｂ像信号用に行数の１／３回分繰り返す。
【００４５】
第１の実施形態のようにＡ像、Ａ＋Ｂ像それぞれの出力を垂直方向に混合した信号を出力すれば、焦点検出の相関演算も垂直方向に混合された画像信号であるため、低ノイズの出力で演算可能である。そのため焦点検出の精度向上が見込まれる。
【００４６】
（第２の実施形態）
第２の実施形態では、ライブビュー（以下ＬＶ）動作中に垂直方向（列方向）に画素混合するかしないかを、被写体に応じて選択する例について説明する。
【００４７】
図８は、被写体の例とそのレベルを列方向に平均化した垂直写像を示している。図８（ａ）は、自然の風景を撮影しているものであり、垂直写像もなだらかに変化している。図８（ｂ）は、建物の中を被写体として撮影したものである。窓にあるブラインドは、非常に細い線となり、一部太陽光の入射があるところとないところがあり、その部分の写像が狭い空間内で大きな変化をしていることが分かる。図８（ｂ）のように空間周波数が高い被写体において、第１の実施形態で示した垂直画素混合を行うと、上記の狭い空間内での大きな変化を適切に信号として取得できず、正しい焦点検出ができなくなる可能性がある。そのため、ＣＰＵ５０が画像の空間周波数を解析し、その解析結果に基づいて垂直画素混合読み出し駆動の設定を切り替える。なお、空間周波数の解析は、離散コサイン変換（ＤＣＴ）などを用いて行う。
【００４８】
図９は、被写体によって垂直画素混合読み出し駆動を実行するかしないかを切り替える制御のフローチャートを示している。ＬＶ動作における撮像面ＡＦの読み出しを開始したら、まず垂直非混合で読み出しをする（Ｓ９００）。その後、被写体解析部７４で被写体の空間周波数を検出する（Ｓ９０１）。被写体の空間周波数が所定以上の場合は（Ｓ９０２：Ｙｅｓ）そのままＬＶ動作を継続し、所定未満の場合（Ｓ９０２：Ｎｏ）は垂直画素混合に切り替えて（Ｓ９０３）ＬＶ動作を継続する。なお、ここでの「所定」の定義は垂直画素混合数に基づいたものになる。
【００４９】
また、被写体の輝度によって垂直画素混合読み出し駆動の設定を変更してもよい。例えばレンズの絞り３１２を開放したり、ＩＳＯ感度を上げても露出アンダーになる場合は、常に垂直画素混合読み出し駆動に切り替えてＬＶ動作をさせてもよい。
【００５０】
第２の実施形態のように被写体の空間周波数によって垂直画素混合読み出し駆動の切り替え制御を行うことで正確な焦点検出が可能となる。
【００５１】
（第３の実施形態）
第３の実施形態では動画記録の要求がきたら必ず垂直画素混合読み出し駆動に切り替える例を示す。図１０は、第３の実施形態のフローチャートを示している。ＬＶ動作中にＣＰＵ５０が動画記録要求をしたら、ＬＶ動作が垂直非混合読み出し駆動であるかどうかを確認し（Ｓ１０００）、垂直非混合の場合は垂直画素混合に切り替える（Ｓ１００１）。その後動画撮影を開始する。
【００５２】
第３の実施形態のように、動画記録の際は、記録画質を優先するため垂直画素混合読み出し駆動に必ず入るようにしている。このようすれば目的に応じて適切な駆動を実施することができる。
【００５３】
（第４の実施形態）
第４の実施形態は、撮影モードによって焦点検出信号を垂直画素混合読み出し駆動で読み出すか否かを切り替える例を示す。
【００５４】
図１１は、フレーム毎に出力する基準信号（以後ＶＤ）と読み出し時間を示した図である。図１１（ａ）は、焦点検出しない時の読み出し動作を示している。縦軸は撮像素子１４００の行、横軸は時間である。斜めの実線が各行の読み出しタイミングを示している。図１１（ａ）の例では、１つのＶＤ期間内に読み出しが終了している。
【００５５】
図１１（ｂ）は、焦点検出信号を垂直画素混合で読み出した時の読み出し動作を示している。第１の実施形態でも記載したように、Ａ像とＡ＋Ｂ像それぞれを出力する必要があるため、読み出し時間が長くなる。この例だと１つのＶＤ期間内に全行の読み出しが完了できなくなり、適切な出力ができなくなってしまう。
【００５６】
図１１（ｃ）は焦点検出信号を垂直画素混合で読み出した時に適切に出力可能にするために、ＶＤ間隔を広げた状態を示している。図１１（ｃ）のように焦点検出用信号を読んだ場合にはＶＤ間隔を広げる。
【００５７】
図１２は、第４の実施形態のフローチャートを示す。ＬＶ動作を開始して、ＬＶのモードが高速レートかどうか調べて（Ｓ１２００）、高速レートでない場合は本画像に追加して焦点検出信号を垂直画素混合読み出し駆動で読み出す（Ｓ１２０３）。ＬＶのモードが高速レートである場合には、次に高解像度であるかどうかを調べ（Ｓ１２０１）、高解像度でない場合は同じく本画像に追加して焦点検出信号を垂直画素混合読み出し駆動で読み出す（Ｓ１２０３）。高解像度である場合は本画像のみを読み出す（Ｓ１２０２）。
【００５８】
第４の実施形態のように、読み出しレートは落とすことができないモードもあるため、モードによって焦点検出用信号を読むか読まないかを切り替える（決定する）ことにより、レートを下げず画像出力可能なモードを選択できる。
【００５９】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００６０】
１００：撮像装置、２０４：垂直走査回路、２０５：単位画素、１４００：撮像素子
【図１】
2019062537.tif 000003
【図２】
2019062537.tif 000004
【図３】
2019062537.tif 000005
【図４】
2019062537.tif 000006
【図５】
2019062537.tif 000007
【図６】
2019062537.tif 000008
【図７】
2019062537.tif 000009
【図８】
2019062537.tif 000010
【図９】
2019062537.tif 000011
【図１０】
2019062537.tif 000012
【図１１】
2019062537.tif 000013
【図１２】
2019062537.tif 000014